(57)【要約】      （修正有）【課題】下部容器を支持スタンドに容易に着脱させることができるサイフォン式コーヒーメーカーの下部容器ユニットを提供する。【解決手段】サイフォン式コーヒーメーカーの下部容器ユニットは、支持スタンド２と、接続部材３と、下部容器５とを備える。支持スタンドは、垂直の軸線方向に自立することができる。接続部材は、支持スタンドに連結され、かつ通し孔３０が形成された環状保持座３１と、環状保持座の通し孔の内周面に形成された第１のねじ山３３とを有する。下部容器は、一端に開口を有する略球状に形成された周壁部５１と、その開口の辺縁から延伸されたネック部５２と、ネック部の外周面に形成された第２のねじ山５３とを有する。ネック部を通し孔に挿入させた後、第２のねじ山を第１のねじ山に螺合させることにより、下部容器が接続部材に着脱自在に固定される。【選択図】図５
0003192712.tif 000002
【実用新案登録請求の範囲】
【請求項１】
垂直の軸線方向に自立可能な支持スタンドと、
前記支持スタンドに連結され、内部に前記軸線に延伸された通し孔が形成され、かつ前記軸線を囲むように形成された環状保持座と、該環状保持座の前記通し孔側の内周面に形成され、かつ前記軸線を囲むように形成された第１のねじ山とを有する接続部材と、
一端に開口を有する略球状に形成された周壁部と、該周壁部の前記開口の辺縁から円筒状に延伸されたネック部と、前記接続部材の前記第１のねじ山と結合するように該ネック部の外周面に形成された第２のねじ山とを有する下部容器と、を備え、
前記ネック部を前記通し孔に挿入するとともに、該ネック部の前記第２のねじ山を前記接続部材前記第１のねじ山に螺合させることにより、前記下部容器が前記接続部材に着脱自在に固定されることを特徴とするサイフォン式コーヒーメーカーの下部容器ユニット。
【請求項２】
前記第１のねじ山は、互いに離れている複数のねじ山部で構成されることを特徴とする請求項１に記載のサイフォン式コーヒーメーカーの下部容器ユニット。
【請求項３】
前記支持スタンドは、その上端から前記軸線と略直交する方向に延伸された第１の連結部を有し、
前記接続部材において、前記内周面の反対側にある外周面には、前記支持スタンドの前記第１の連結部と結合することができる第２の連結部が形成され、
前記第１の連結部と前記第２の連結部のうち、一方は非円形の挿入孔に形成され、他方は該差込孔の形状に対応する棒体に形成されることを特徴とする請求項１に記載のサイフォン式コーヒーメーカーの下部容器ユニット。
【請求項４】
ネック部と該ネック部の外周面に形成された第２のねじ山とを有する下部容器を、所定の軸線方向に自立させ、かつ一端が第１の連結部を有する支持スタンドに固定されたサイフォン式コーヒーメーカーの下部容器接続部材であって、
該下部容器接続部材は、内部に前記下部容器の前記ネック部を挿入させるための通し孔が形成され、かつ前記軸線を囲むように形成された環状保持座と、前記軸線を囲むように該環状保持座の前記通し孔側の内周面に形成された第１のねじ山と、該環状保持座の外周面に設けられ、かつ前記支持スタンドの前記第１の連結部と結合することができる第２の連結部とを備え、
前記第１の連結部と前記第２の連結部のうち、一方は非円形の挿入孔に形成され、他方は該差込孔の形状に対応する棒体に形成されており、
前記ネック部を前記通し孔に挿入させるとともに、該ネック部の前記第２のねじ山を前記通し孔の前記第１のねじ山に螺合させることにより、前記下部容器を前記接続部材に着脱自在に固定させることを特徴とするサイフォン式コーヒーメーカーの下部容器接続部材。
【請求項５】
所定の軸線方向に延伸された通し孔が該軸線を囲むように形成され、かつ内周面に前記軸線を囲むように第１のねじ山が形成された接続部材と、前記軸線方向に自立することができ、かつ一端に前記接続部材が連結された支持スタンドとを備えるサイフォン式コーヒーメーカーに用いる下部容器であって、
該下部容器は、一端に開口を有する略球状に形成された周壁部と、該周壁部の前記開口の辺縁から円筒状に延伸されたネック部と、前記接続部材の前記第１のねじ山に対応するように該ネック部の外周面に形成された第２のねじ山とを有し、
前記ネック部を前記通し孔に挿入させるとともに、該ネック部の前記第２のねじ山を前記通し孔の前記第１のねじ山に螺合させることにより、前記下部容器が前記接続部材に着脱自在に固定されることを特徴とするサイフォン式コーヒーメーカーの下部容器。
【考案の詳細な説明】
【技術分野】
【０００１】
本考案は、サイフォン式コーヒーメーカーに関し、特にその下部容器ユニットに関するものである。
【背景技術】
【０００２】
図１には、従来のサイフォン式コーヒーメーカーの下部容器ユニットおよび上容器が示されている。このサイフォン式コーヒーメーカーは、自立できるように構成され、かつ上端部に水平方向に延伸されたねじ切り部１１１を有する支持スタンド１１と、支持スタンド１１のねじ切り部１１１に固定されたクランプ１３と、クランプ１３に挟持されたガラス製の下部容器１２とを含む下部容器ユニットおよび上容器１５で構成されている。下部容器１２は、上端に開口が形成され、かつ水収納空間１２０を構成するように球状に形成された周壁部１２１と、該上端開口の辺縁から円筒状に延伸されたネック部１２２とを有する。クランプ１３は、それぞれ揺動可能な２本のＣ字型アーム１３１を有し、２本のＣ字型アーム１３１の間には挟持空間１３０が構成されている。下部容器１２のネック部１２２を挟持空間１３０に入れると、当該ネック部１２２が２本のＣ字型アーム１３１の間に固定される。支持スタンド１１のねじ切り部１１１には固定ナット１４が螺合されている。これにより、クランプ１３の根元端を固定し、かつクランプ１３が下部容器１２を挟持固定することができる。上容器１５は、上端開口が形成され、かつドリップ空間１５０を構成するように形成された周壁部１５１と、周壁部１５１の一端から管状に延伸された足管部１５２とを有している。足管部１５２を下部容器１２のネック部１２２から水収納空間１２０に挿入するとき、足管部１５２の外壁がネック部１２２の内壁に緊密に接触する。
【０００３】
従来のサイフォン式コーヒーメーカーにおいて、クランプ１３を用いて下部容器１２を挟持しているが、下部容器１２がガラス製であるので、挟持力が大きすぎると、下部容器１２が破損してしまうおそれがあるため、従来のクランプ１３は下部容器１２に小さい挟持力を与えるように構成されている。したがって、布巾などで下部容器１２を拭くときに下部容器１２が回転してしまうので、下部容器１２に刻まれている液量目盛りが見えなくなるか、或いは下部容器１２が落下してしまうおそれがある。また、クランプ１３の挟持を解除するとき、下部容器１２が落下することを防ぐため、下部容器１２を持ちながら固定ナット１４を緩めなければならない。すなわち、クランプ１３の挟持を解除するとき、両手で作業をしなければならいので、下部容器１２を支持スタンド１１に着脱することが不便である。
【考案の概要】
【考案が解決しようとする課題】
【０００４】
上述した問題を解決するため、本考案の目的は、下部容器を容易に支持スタンドに着脱することができ、かつ下部容器を安定に支持スタンドに固定させることができる、サイフォン式コーヒーメーカーの下部容器ユニットを提供することにある。
【課題を解決するための手段】
【０００５】
上記の目的を達成するため、本考案は、スタンドと、接続部材と、下部容器とを備えるサイフォン式コーヒーメーカーの下部容器ユニットを提供する。前記スタンドは、垂直の軸線方向に自立することができる。前記接続部材は、前記支持スタンドに連結され、かつ内部に前記軸線に沿った通し孔が形成され、かつ前記軸線を囲むように形成された環状保持座と、該環状保持座の前記通し孔側の内周面に前記軸線を囲むように形成された第１のねじ山とを有する。前記下部容器は、一端に開口を有する略球状に形成された周壁部と、該周壁部の前記開口の辺縁から円筒状に延伸形成されたネック部と、前記接続部材の前記第１のねじ山に対応するように該ネック部の外周面に形成された第２のねじ山とを有する。前記ネック部を前記通し孔に挿入させるとともに、該ネック部の前記第２のねじ山を前記通し孔の前記第１のねじ山に螺合させることによって、前記下部容器が前記接続部材に着脱自在に固定される。
【０００６】
上述したサイフォン式コーヒーメーカーの下部容器ユニットにおいて、前記第１のねじ山は、互いに離れている複数のねじ山部で構成されることが好ましい。
【０００７】
上述したサイフォン式コーヒーメーカーの下部容器ユニットにおいて、前記支持スタンドは、その上端から前記軸線と略直交する方向に延伸された第１の連結部を有する。前記接続部材において、前記内周面の反対がにある外周面には、前記支持スタンドの前記第１の連結部と結合することができる第２の連結部が形成されている。前記第１の連結部と前記第２の連結部のうち、一方は非円形の挿入孔に形成され、他方は該差込孔の形状に対応する棒体に形成されることが好ましい。
【０００８】
上述した問題を解決するため、本考案は、サイフォン式コーヒーメーカーの下部容器接続部材を更に提供する。
【０００９】
上述した問題を解決するため、本考案は、サイフォン式コーヒーメーカーの下部容器接続部材を更に提供する。この下部容器接続部材は、ネック部と該ネック部の外周面に形成された第２のねじ山とを有する下部容器を、所定の軸線方向に自立させる。下部容器接続部材の一端は第１の連結部を有する支持スタンドに固定される。下部容器接続部材は、内部に前記下部容器の前記ネック部を挿入させるための通し孔が形成され、かつ前記軸線を囲むように形成された環状保持座と、前記軸線を囲むように該環状保持座の前記通し孔側の内周面に形成された第１のねじ山と、該環状保持座の外周面に設けられ、かつ前記支持スタンドの前記第１の連結部と結合することができる第２の連結部とを備える。前記第１の連結部と前記第２の連結部のうち、一方は非円形の挿入孔に形成され、他方は該差込孔の形状に対応する棒体に形成される。前記ネック部を前記通し孔に挿入させるとともに、該ネック部の前記第２のねじ山を前記通し孔の前記第１のねじ山に螺合させることにより、前記下部容器を前記接続部材に着脱自在に固定する。
【００１０】
また、本考案は、サイフォン式コーヒーメーカー用下部容器を更に提供ことを目的とする。このサイフォン式コーヒーメーカー用下部容器は、所定の軸線に延伸される通し孔が前記軸線を囲むように形成され、かつ内周面に前記軸線を囲む第１のねじ山が形成された接続部材と、前記軸線方向に自立することができ、かつ一端が前記接続部材が連結された支持スタンドとを備える。前記下部容器は、一端に開口を有する略球状に形成された周壁部と、該周壁部の前記開口の辺縁から円筒状に延伸されたネック部と、前記接続部材の前記第１のねじ山に対応するように該ネック部の外周面に形成された第２のねじ山とを有する。前記ネック部を前記通し孔に挿入させるとともに、該ネック部の前記第２のねじ山を前記通し孔の前記第１のねじ山に螺合させることにより、下部容器が前記接続部材に着脱自在に固定される。
【考案の効果】
【００１１】
上記のサイフォン式コーヒーメーカーの下部容器ユニットにおいて、前記下部容器を前記接続部材に取り付けるとともに、前記下部容器の前記第２のねじ山を前記接続部材の前記第１のねじ山に結合させることができる。下部容器を結合方向又は開放方向に回すことにより、前記下部容器を前記支持スタンドに容易に着脱させることができる。また、前記下部容器の開口が上に向くように下部容器を前記接続部材に取り付けるか、或いは開口が下に向くように下部容器を前記接続部材に取り付けることができるので、使い勝手がよい。
【図面の簡単な説明】
【００１２】
【図１】従来のサイフォン式コーヒーメーカーの下部容器ユニットおよび上容器を示す斜視図。
【図２】本考案の実施形態に係るサイフォン式コーヒーメーカーの下部容器ユニットを示す分解斜視図。
【図３】本考案の実施形態における接続部材のねじ山の形態を示す部分側面図。
【図４】本考案のサイフォン式コーヒーメーカーを示す斜視図。
【図５】図４のＶ−Ｖ線に沿った部分を示す局部断面図。
【図６】図５のＶＩ−ＶＩ線に沿った部分を示す断面図。
【図７】本考案のサイフォン式コーヒーメーカーを示す正面図。
【考案を実施するための形態】
【００１３】
以下、添付図面を参照しながら、本考案具体的な実施形態に係るサイフォン式コーヒーメーカーの下部容器ユニット（以下「下部容器ユニット」と略称）を詳細に説明する。
【００１４】
図２、図３及び図４は、本考案の実施形態に係る下部容器ユニットを示す図である。本実施形態の下部容器ユニットは、支持スタンド２と、接続部材３と、締結部材４と、下部容器５とで構成される。
【００１５】
（支持スタンド２）
支持スタンド２は、垂直の軸線方向Ｘに自立することができるように構成されている。具体的には、軸線Ｘに直交する水平方向に延伸され、かつ水平の置き面に置かれる脚座部２１と、脚座部２１から垂直方向に延伸されたロッド部２２と、ロッド部２２の上端から略水平方向に延伸された第１の連結部２４とを有する。本実施形態において、第１の連結部２４の断面形状が略半円形に形成されているが、このような形状に限定されるものではなく、ほかの形状に形成してもよい。例えば、断面形状が多角形である形状に形成することできる。第１の連結部２４の先端にはねじ孔２４０が設けられている。
【００１６】
（接続部材３）
接続部材３は、下部容器５を支持スタンド２に結合させるためのものである。該接続部材３は、内部に軸線Ｘに沿った通し孔３０が形成され、かつ軸線Ｘを囲むように形成された環状保持座３１を有する。
【００１７】
接続部材３は、環状保持座３１の通し孔３０の内周面に形成され、かつ軸線Ｘを囲むように形成された第１のねじ山３３と、該内周面の反対側にある外周面に設けられ、かつ支持スタンド２の第１の連結部２４と連結することができる第２の連結部３４と、環状保持座３１を水平方向に貫通し、かつ第２の連結部３４に連結された貫通孔３２とを更に含む。
【００１８】
図３に示したとおり、本実施形態の第１のねじ山３３は、ねじ山を構成するための複数のねじ山部３３１を含む。複数のねじ山部３３１を軸方向に垂直である方向に見る場合、各ねじ山部３３１は重ならないように互いに離れているが、軸方向に見る場合、ねじ山を構成するように複数のねじ山部３３１が互いに連結されている。
【００１９】
第２の連結部３４は、支持スタンド２の第１の連結部２４と結合するこことができる形状に形成されている。すなわち、本実施形態の第２の連結部３４の断面形状が略半円形に形成されている。
【００２０】
（締結部材４）
締結部材４は、接続部材３と支持スタンド２とを一体に固定するためのものであり、本実施形態ではねじを用いる。このねじを、接続部材３の環状保持座３１の貫通孔３２に挿入するとともに、支持スタンド２の第１の連結部２４に螺合させることにより、接続部材３を支持スタンド２に固定させることができる。
【００２１】
（下部容器５）
下部容器５は、全体をガラスで製造したものである。該下部容器５は、一端に開口を有する略球状に形成され、内部に水収納空間５０を構成する周壁部５１と、周壁部５１の開口の辺縁から円筒状に延伸されたネック部５２とを有する。ネック部５２の外周面には、接続部材３の環状保持座３１の内周面に形成された第１のねじ山３３と螺合することができる第２のねじ山５３が形成されている。
【００２２】
本考案のサイフォン式コーヒーメーカーの下部容器ユニットを使用する際、図４、図５及び図６に示したとおり、まず、接続部材３の第２の連結部３４を支持スタンド２の第１の連結部２４と連結させた後、締結部材４で両者を固定させる。つぎは、下部容器５のネック部５２を接続部材３の通し孔３０の下から当該通し孔３０に挿入するとともに下部容器５を回すことにより、下部容器５の第２のねじ山５３を接続部材３の第１のねじ山３３に螺合させる。それにより、下部容器５を接続部材３に着脱自在に固定させるとともに、当該下部容器５を支持スタンド２に固定させることができる。
【００２３】
上述した構造で固定した下部容器５を、例えば布巾などで拭いても、下部容器５が容易に回転することができない。第２のねじ山５３が第１のねじ山３３に螺合する方向に下部容器５を拭く場合、第２のねじ山５３と第１のねじ山３３との間に結合がより丈夫になるので、下部容器５と接続部材３との間の固定をより安定にすることができる。
【００２４】
本考案の下部容器ユニットを使用した後、例えば片手で第２のねじ山５３と第１のねじ山３３との螺合解除の方向に下部容器５を回すことにより、下部容器５を接続部材３から離脱させることができる。上述したとおり、本考案の下部容器ユニットは、片手でも下部容器５を接続部材３に自由に着脱させることができる利点を有している。
【００２５】
図７に示したとおり、下部容器５のネック部５２が下に位置するように下部容器５を逆にした後、ネック部５２を接続部材３の通し孔３０の上から当該通し孔３０に挿入するとともに、下部容器５を回することにより、第２のねじ山５３を第１のねじ山３３に螺合させることができる。それにより、下部容器５を接続部材３に逆に固定することができる。例えば下部容器５を洗浄した後、開口が下に向くように下部容器５を逆に固定することにより、下部容器５内の水分を排出することができるので、使い勝手がよい。
【００２６】
本実施形態においては、上述したとおり、支持スタンド２の第１の連結部２４は、断面が略半円形である棒体に形成され、第２の連結部３４は、断面が略半円形である挿入孔に形成されているが、両者を逆に形成しでもよい。つまり、第１の連結部２４と第２の連結部３４のうち、いずれか一方を非円形（半円形、楕円形、多角形等）の差込孔に形成し、他方を該挿入孔の形状に対応する棒体に形成してもよい。
【００２７】
本実施形態においては、上述したとおり、第１のねじ山３３が互いに離れている複数のねじ山部３３１から構成されているので、接続部材３の鋳造するとき、金型から接続部材３を離脱させる離型を容易に行うことができるので、製造の利便性が高い。
【００２８】
本考案に係るサイフォン式コーヒーメーカーの下部容器ユニットは、上記の構成を有することにより、以下の考案の効果を奏することができる。
【００２９】
本考案は、接続部材３の第１のねじ山３３で下部容器５を支持スタンド２に固定する。クランプで下部容器を支持スタンドに固定する従来の技術と比較してみると、本考案は下部容器５を支持スタンド２に容易に着脱させることができる。すなわち、下部容器５の着脱を片手で行うことができるので、利便性が高い。また、ねじに固定された下部容器５を例えば布などで拭くとき、下部容器５が自由に回転して落ちることを防ぐことができ、下部容器５が支持スタンド２に固定されたことをより安定にすることができる。また、下部容器５の開口が下に向くように下部容器５を接続部材３に逆に螺合させるとともに、片手で行うことができるので、実用性を向上させることができる。
【００３０】
以上、本考案の好ましい実施形態を説明したきたが、本考案は上述した事項に限定されるものではなく、その要旨を逸脱しない範囲の設計の変更等があっても当然にこの考案に含まれる。
【産業上の利用可能性】
【００３１】
サイフォン式コーヒーメーカーにおいて、支持スタンドと下部容器を含んだ下部容器ユニットを設けるか、或いは下部容器を支持スタンドに結合させるための下部容器の接続部材を設けるか、或いは下部容器のみを設けるとき、下部容器を容易に着脱することができる本考案の技術を参照することができる。
【符号の説明】
【００３２】
２  支持スタンド
２１  脚座部
２２  ロッド部
２４  第１の連結部
２４０  ねじ孔
３  接続部材
３０  通し孔
３１  環状保持座
３２  貫通孔
３３  第１のねじ山
３３１  ねじ山部
３４  第２の連結部
４  締結部材
５  下部容器
５０  水収納空間
５１  周壁部
５２  ネック部
５３  第２のねじ山
Ｘ  軸線
【図１】
0003192712.tif 000003
【図２】
0003192712.tif 000004
【図３】
0003192712.tif 000005
【図４】
0003192712.tif 000006
【図５】
0003192712.tif 000007
【図６】
0003192712.tif 000008
【図７】
0003192712.tif 000009